(57)【特許請求の範囲】
【請求項１】
車載機とセンター装置との間でデータの送受信を行う携帯端末であって、
近距離無線通信技術により通信を行う近距離無線通信手段と、
前記携帯端末の有するアプリケーションの実行により、前記近距離無線通信手段に接続処理を実行させる際にマスターとして機能させるとともに、前記車載機からデータを取得させ、
前記センター装置に、データを送信させ、
前記センター装置からのデータを取得させ、前記近距離無線通信手段により前記車載機に送信する制御を行う制御手段と
を有することを特徴とする携帯端末。
【請求項２】
請求項１に記載の携帯端末において、
前記近距離無線通信手段は、所定時間の経過毎に問い合わせを行い、車載機からの応答により該車載機を検出し、検出された車載機の識別子を認識することを特徴とする携帯端末。
【請求項３】
請求項２に記載の携帯端末において、
前記車載機は、スレーブとして機能し、前記近距離無線通信手段による問い合わせに応じて、応答を行うことを特徴とする携帯端末。
【請求項４】
請求項１ないし３のいずれか１項に記載の携帯端末において、
前記近距離無線通信手段は、ブルートゥースであることを特徴とする携帯端末。
【請求項５】
請求項１ないし４のいずれか１項に記載の携帯端末において、
前記センター装置に対して、無線通信技術により接続処理を行う無線通信手段
を有することを特徴とする携帯端末。
【請求項６】
車載機とセンター装置との間でデータの送受信を行う携帯端末における通信方法であって、
近距離無線通信技術により接続処理を行うステップと、
前記車載機からのデータを前記センター装置に送信するステップと、
前記センター装置からのデータを前記車載機に送信するステップと
を有し、
前記接続処理を行うステップでは、前記携帯端末の有するアプリケーションの実行により、マスターとして機能することにより接続処理を行う、ことを特徴とする通信方法。
【請求項７】
請求項６に記載の通信方法をコンピュータに実行させるためのプログラム。
【請求項８】
車載機とセンター装置との間でデータの送受信を行う携帯端末を用いたサービス提供方法であって、
前記携帯端末は店舗に備えられ、
前記携帯端末が、車載機に対して、近距離無線通信技術により接続処理を行うステップと、
前記携帯端末が、前記車載機に蓄積されたデータのうち、該車載機により送信された車両に関するデータを蓄積するステップと、
前記携帯端末が、前記センター装置に対して、前記店舗に対応する識別子により接続処理を行うステップと、
前記携帯端末が、蓄積した前記車両に関するデータを前記センター装置に送信するステップと、
前記センター装置が、前記携帯端末により送信された前記車両に関するデータを蓄積するステップと
を有し、
前記接続処理を行うステップでは、前記携帯端末の有するアプリケーションの実行により、マスターとして機能することにより接続処理を行う、ことを特徴とするサービス提供方法。
【請求項９】
請求項８に記載のサービス提供方法において、
前記車両に関するデータには、前記車載機が搭載された車両情報が含まれ、
前記センター装置が、前記車両に関するデータに基づいて、該車両に関して提供されている提供情報を前記携帯端末に送信するステップと、
前記携帯端末が、前記センター装置により送信された前記提供情報を、前記車載機に送信するステップと、
前記車載機が、前記携帯端末により送信された前記提供情報を蓄積するステップと
を有することを特徴とするサービス提供方法。
【発明の詳細な説明】
【技術分野】
【０００１】
本発明は、ブルートゥース（登録商標）などの近距離無線通信技術を有する携帯端末に関し、特に車載機及びセンター装置と通信を行う携帯端末、通信方法及びプログラム並びにサービス提供方法に関する。
【背景技術】
【０００２】
車載機及びセンター装置と情報の送受信を行うことができる携帯端末がある。例えば、車載機には、ナビゲーション装置が含まれる。例えば、該携帯端末はブルートゥースなどの近距離無線通信技術を有し、ブルートゥース(Bluetooth)などの近距離無線通信技術を有するナビゲーション装置とブルートゥースにより接続する。また、該携帯端末は、センター装置と基地局装置を介して無線通信を行う。この場合、例えば、ブルートゥースを有する携帯端末がモデムとして使用されることにより、車載機とセンター装置がインターネットを介して通信を行う。
【０００３】
例えば、携帯電話機の操作をＰＣ上からワイヤレスに行うことができるシステムが開示されている（例えば、特許文献１参照）。
【０００４】
このシステムでは、ＰＣに、携帯電話機を近距離無線通信により直接制御する携帯電話制御アプリケーションソフトをインストールし、ＰＣ使用中に該携帯電話制御アプリケーションソフトを起動しておくことにより、ＰＣからの操作によって携帯電話機の発呼、メール発信、着呼、及びメール着信を制御する。近距離無線通信手段としては、ブルートゥース無線技術を利用することができる。
【特許文献１】特開２００３−２８３６９３号公報
【発明の開示】
【発明が解決しようとする課題】
【０００５】
しかしながら、上述した背景技術には以下の問題がある。
【０００６】
上述したように、携帯端末がモデムとして使用されることにより、車載機が該携帯端末を介してセンター装置と接続される場合には、その通信料金は従量制となる。
【０００７】
携帯端末の有するブラウザやアプリケーションによりインターネットにアクセスする場合には、その通信料金が定額となるサービスが提供されている。しかし、車載機とセンター装置とを、携帯端末を介して接続する場合には、携帯端末から車載機に接続処理を行うことができず、車載機から携帯端末に接続し、更に携帯端末からセンター装置に接続することになる。この場合、その携帯端末はモデムとして使用されることになり、この場合には通信料金が従量制となり、利用すればするほど通信料金が高額になる。
【０００８】
本発明は、上述の点に鑑みてなされたものであり、車載機とセンター装置とが携帯端末を介して接続される場合に、携帯端末のアプリケーションにより車載機に接続することができる携帯端末、通信方法及びプログラム並びにサービス提供方法を提供することを目的とする。
【課題を解決するための手段】
【０００９】
上記課題を解決するため、この携帯端末は、
車載機とセンター装置との間でデータの送受信を行う携帯端末であって、
近距離無線通信技術により通信を行う近距離無線通信手段と、
前記携帯端末の有するアプリケーションの実行により、前記近距離無線通信手段に接続処理を実行させる際にマスターとして機能させるとともに、前記車載機からデータを取得させ、
前記センター装置に、データを送信させ、
前記センター装置からのデータを取得させ、前記近距離無線通信手段により前記車載機に送信する制御を行う制御手段と
を有する。
【００１０】
このように構成することにより、携帯端末側から車載機に対して近距離無線通信により接続処理行うことができる。
【００１１】
さらに、別の構成例では、
前記近距離無線通信手段は、所定時間の経過毎に問い合わせを行い、車載機からの応答により該車載機を検出し、検出された車載機の識別子を認識するように構成される。
【００１２】
このように構成することにより、携帯端末側がマスターとして機能し、車載機に対して近距離無線通信により接続処理行うことができる。
【００１３】
さらに、別の構成例では、
前記車載機は、スレーブとして機能し、前記近距離無線通信手段による問い合わせに応じて、応答を行うように構成される。
【００１４】
このように構成することにより、車載機側はスレーブとして機能し、携帯端末からの問い合わせに応じて、応答を行うことができる。
【００１５】
さらに、別の構成例では、
前記近距離無線通信手段は、ブルートゥースであるように構成される。
【００１６】
このように構成することにより、ブルートゥースにより車載機に対して接続処理を行うことができる。
【００１７】
さらに、別の構成例では、
前記センター装置に対して、無線通信技術により接続処理を行う無線通信手段
を有するように構成される。
【００１８】
このように構成することにより、無線通信技術によりセンター装置に接続できる。このため、携帯端末とセンター装置との間の通信に対して定額制のサービスを利用できる。
【００１９】
また、通信方法は、
車載機とセンター装置との間でデータの送受信を行う携帯端末における通信方法であって、
近距離無線通信技術により接続処理を行うステップと、
前記車載機からのデータを前記センター装置に送信するステップと、
前記センター装置からのデータを前記車載機に送信するステップと
を有し、
前記接続処理を行うステップでは、前記携帯端末の有するアプリケーションの実行により、マスターとして機能することにより接続処理を行う。
【００２０】
このようにすることにより、携帯端末側から車載機に対して近距離無線通信により接続処理行うことができる。
【００２１】
また、プログラムは、上述した通信方法をコンピュータに実行させるためのプログラムである。
【００２２】
また、サービス提供方法は、
車載機とセンター装置との間でデータの送受信を行う携帯端末を用いたサービス提供方法であって、
前記携帯端末は店舗に備えられ、
前記携帯端末が、車載機に対して、近距離無線通信技術により接続処理を行うステップと、
前記携帯端末が、前記車載機に蓄積されたデータのうち、該車載機により送信された車両に関するデータを蓄積するステップと、
前記携帯端末が、前記センター装置に対して、前記店舗に対応する識別子により接続処理を行うステップと、
前記携帯端末が、蓄積した前記車両に関するデータを前記センター装置に送信するステップと、
前記センター装置が、前記携帯端末により送信された前記車両に関するデータを蓄積するステップと
を有し、
前記接続処理を行うステップでは、前記携帯端末の有するアプリケーションの実行により、マスターとして機能することにより接続処理を行う。
【００２３】
このようにすることにより、車両の所有者が携帯端末を所有していない場合でも、車載機に蓄積された該車載機が搭載された車両に関する情報をセンター装置に蓄積できる。
【００２４】
また、他の構成では、
前記車両に関するデータには、前記車載機が搭載された車両情報が含まれ、
前記センター装置が、前記車両に関するデータに基づいて、該車両に関して提供されている提供情報を前記携帯端末に送信するステップと、
前記携帯端末が、前記センター装置により送信された前記提供情報を、前記車載機に送信するステップと、
前記車載機が、前記携帯端末により送信された前記提供情報を蓄積するステップと
を有することを特徴とする。
【００２５】
このようにすることにより、蓄積された車両に関する情報に基づいて、該車両に関して提供されているデータを、該車両に提供できる。
【発明の効果】
【００２６】
開示の携帯端末、通信方法及びプログラム並びにサービス提供方法によれば、車載機とセンター装置とが携帯端末を介して接続される場合に、携帯端末のアプリケーションにより車載機に接続することができる効果を奏する。
【発明を実施するための最良の形態】
【００２７】
次に、本発明を実施するための最良の形態を、以下の実施例に基づき図面を参照しつつ説明する。
【００２８】
なお、実施例を説明するための全図において、同一機能を有するものは同一符号を用い、繰り返しの説明は省略する。
【００２９】
（第１の実施例）
本発明の実施例に係る車載システムについて、図１を参照して説明する。
【００３０】
本実施例に係る車載システムは、携帯端末１００を含む。携帯端末１００は近距離無線通信技術を有し、該近距離無線通信技術により車載機２００と接続する。近距離無線通信技術には、ブルートゥースが含まれる。ブルートゥースは、２．４ＧＨｚのＩＳＭバンド（Industry  Science  Medical  band）を利用した周波数ホッピング型のスペクトラム拡散通信方式を採用し、１Ｍｂｐｓ以上の速度で通信を行うことができる無線通信技術である。例えば、携帯端末１００に搭載されたアプリケーション（アプリ）が実行されることにより、後述する近距離無線通信制御部１０８は近距離無線通信モジュール１０６に、車載機２００と接続させる処理を行わせる。また、携帯端末１００は、後述する基地局装置４００を介して、センター装置３００に無線接続する。
【００３１】
また、本実施例に係る車載システムは、車載機２００を含む。図１では、説明の便宜上車両が示されているが、車載機２００は、車両に搭載される。例えば、車載機２００には、ナビゲーション装置が含まれる。車載機２００は、近距離無線通信技術を有し、該近距離無線通信技術により携帯端末１００と接続する。近距離無線通信技術には、ブルートゥースが含まれる。例えば、車載機２００に搭載されたアプリケーション（アプリ）が実行されることにより、後述する近距離無線通信制御部２０８は、携帯端末１００による接続要求に応じて、近距離無線通信モジュール２０６に、車載機２００と接続させる処理を行わせる。
【００３２】
また、本実施例に係る車載システムは、センター装置３００を含む。センター装置３００は、例えば後述する通信網５００に接続され、携帯端末１００からの接続要求に応じて、データの送受信を行う。例えば、通信網にはインターネットが含まれ、センター装置３００にはサーバが含まれる。例えば、センター装置３００は、車載機２００に蓄積された該車載機２００が搭載された車両に関する情報を蓄積する。また、センター装置３００は、携帯端末１００を介してアクセスした車載機２００に対して、情報の提供を行う。例えは、該車載機２００及び／又は該車載機２００が搭載された車両に関する情報を提供するようにしてもよい。また、センター装置３００は、蓄積された車両に関する情報に基づいて、サービスを提供するようにしてもよい。例えば、蓄積された車両に関する情報に基づいて、その統計量を求め、車両に関する情報を提供した車両に、該統計量を提供するようにしてもよい。また、車両に関する情報を提供した車両以外の車両にも提供するようにしてもよい。
【００３３】
車載機２００と、携帯端末１００と、センター装置３００との間の通信におけるデータ伝送について説明する。
【００３４】
ユーザは、所有する携帯端末１００にインストースされたアプリケーションを起動する。携帯端末１００は、ユーザによる操作に従って、車載機２００に蓄積されたデータを吸い上げる。携帯端末１００は、該車載機２００から吸い上げたデータを蓄積する。該携帯端末１００は、電波状態を確認し、該電波状態が所定の品質を満たす場合に、車載機１００から吸い上げ、蓄積したデータをセンター装置３００に送信する。センター装置３００は、携帯端末１００から送信されたデータを蓄積する。センター装置３００は蓄積したデータ基づいて、該データに対応する車両に関して提供されている提供情報を該携帯端末１００に送信する。携帯端末１００は、センター装置３００により送信された提供情報を蓄積する。携帯端末１００は、車載器２００との間の接続状態を確認し、該接続状態が所定の品質を満たす場合には、蓄積したセンター装置３００により送信された提供情報を車載機２００に送信する。車載機２００は、携帯端末１００から送信された提供情報を蓄積し、必要に応じて画面表示を変更する。
【００３５】
本実施例に係る携帯端末１００、車載機２００及びセンター装置３００について、図２を参照して説明する。
【００３６】
本実施例に係る携帯端末１００について説明する。
【００３７】
本実施例に係る携帯端末１００は、サービスデータ１０２を有する。サービスデータ１０２は、車載機２００及び／又はセンター装置３００により取得されたデータ及び／又は生成されたデータが格納される。例えば、記憶装置により構成されるようにしてもよい。
【００３８】
また、本実施例に係る携帯端末１００は、アプリケーション制御部１０４を有する。アプリケーション制御部１０４は、車載機２００へのデータのダウンロード及び／又はセンター装置３００へのデータのアップロードを制御し、ダウンロードするデータ及び／又はアップロードするデータを管理する。例えば、データ伝送を管理する。具体的には、車載機２００により送信されたデータをセンター装置３００に送信し、センター装置３００により送信されたデータを車載機２００に送信する制御を行う。このアプリケーション制御部１０４の機能は、携帯端末１００が有するアプリケーションが起動されることにより実行される。サービスデータ１０２とアプリケーション制御部１０４によりアプリケーション部が構成される。
【００３９】
また、本実施例に係る携帯端末１００は、近距離無線通信モジュール１０６を有する。近距離無線通信モジュール１０６は、近距離無線通信を行う通信モジュールである。例えば、ブルートゥース通信モジュールにより構成される。
【００４０】
また、本実施例に係る携帯端末１００は、近距離無線通信制御部１０８を有する。近距離無線通信制御部１０８は、近距離無線による通信を制御する。具体的には、近距離無線通信モジュール１０６を制御する。
【００４１】
また、本実施例に係る携帯端末１００は、無線通信モジュール１１０を有する。無線通信モジュール１１０は、無線通信を行う通信モジュールである。例えば、携帯端末１００が携帯電話により構成される場合には、該携帯電話の無線通信モジュールが該当する。
【００４２】
また、本実施例に係る携帯端末１００は、無線通信制御部１１２を有する。無線通信制御部１１２は、無線による通信を制御する。具体的には、無線通信モジュール１１０を制御する。
【００４３】
本実施例に係る車載機２００について説明する。
【００４４】
本実施例に係る車載機２００は、サービスデータ２０２を有する。サービスデータ２０２は、車載機２００により取得されたデータ及び／又は生成されたデータ、及び／又はセンター装置３００により取得されたデータ及び／又は生成されたデータが格納される。例えば、記憶装置により構成されるようにしてもよい。車載機２００により取得されたデータには、車両に関する情報が含まれる。具体的には、燃費情報が含まれる。
【００４５】
また、本実施例に係る車載機２００は、アプリケーション制御部２０４を有する。アプリケーション制御部２０４は、車載機２００により取得されたデータ及び／又は生成されたデータのアップロード、及び／又はセンター装置３００からのデータのダウンロードを制御し、ダウンロードするデータ及び／又はアップロードするデータを管理する。例えば、データ伝送を管理する。具体的には、車載機２００により取得されたデータ及び／又は生成されたデータを携帯端末１００に送信し、携帯端末１００により送信されたデータをサービスデータ２０２に入力する制御を行う。このアプリケーション制御部２０４の機能は、車載機２００が有するアプリケーションを実行することにより実現される。サービスデータ２０２とアプリケーション制御部２０４によりアプリケーション部が構成される。
【００４６】
また、本実施例に係る車載機２００は、近距離無線通信モジュール２０６を有する。近距離無線通信モジュール２０６は、近距離無線通信を行う通信モジュールである。例えば、ブルートゥース通信モジュールにより構成される。
【００４７】
また、本実施例に係る車載機２００は、近距離無線通信制御部２０８を有する。近距離無線通信制御部２０８は、近距離無線による通信を制御する。具体的には、近距離無線通信モジュール２０６を制御する。
【００４８】
本実施例に係るセンター装置３００について説明する。
【００４９】
本実施例に係るセンター装置３００は、サービスデータ３０２を有する。サービスデータ３０２は、センター装置３００により生成されたデータ及び／又は取得されたデータ、及び／又は車載機２００により取得されたデータ及び／又は生成されたデータが格納される。例えば、記憶装置より構成されるようにしてもよい。
【００５０】
また、本実施例に係るセンター装置３００は、アプリケーション制御部３０４を有する。アプリケーション制御部３０４は、センター装置３００により生成したデータのダウンロード及び／又は車載機２００からのデータのアップロードを制御し、ダウンロードするデータ及び／又はアップロードするデータを管理する。例えば、データ伝送を管理する。具体的には、センター装置３００により生成されたデータを携帯端末１００に送信し、携帯端末１００により送信されたデータをサービスデータ３０２に入力する制御を行う。このアプリケーション制御部３０４の機能は、センター装置３００が有するアプリケーションを実行することにより実現される。サービスデータ３０２とアプリケーション制御部３０４によりアプリケーション部が構成される。例えば、センター装置３００により生成したデータには、車両情報に基づいて生成される情報が含まれる。具体的には、車両情報が燃費情報である場合には、該燃費を車両毎にランキングした情報としてもよい。また、センター装置３００により取得されたデータには、車両に関する情報や車載機に関する情報が含まれる。
【００５１】
また、本実施例に係るセンター装置３００は、通信モジュール３０６を有する。通信モジュール３０６は、センター装置３００が通信網５００を介して通信を行う通信モジュールである。例えば、通信モジュール３００は、通信網５００を介して基地局装置４００と通信を行う。この通信モジュールは有線に対応したものでもよいし、無線に対応したものでもよい。
【００５２】
また、本実施例に係るセンター装置３００は、通信制御部３０８を有する。通信制御部３０８は、センター装置３００が通信網５００を介して基地局装置４００と行う通信を制御する。具体的には、通信モジュール３０６を制御する。
【００５３】
次に、本実施例に係る車載システムにおける携帯端末１００と車載機２００との接続処理について、図３を参照して説明する。本実施例に係る車載システムでは、携帯端末１００は、マスターとして機能し、車載機２００はスレーブとして機能する。携帯端末１００は所定時間の経過毎に問い合わせ（インクワイアリ）を行い、車載機２００を検出し、検出された車載機２００の識別子を認識する。
【００５４】
例えば、携帯端末１００及び車載機２００のそれぞれ有するアプリケーションが起動されると、該アプリケーションが実行されることにより、携帯端末１００及び車載機２００は以下の処理を行う。
【００５５】
携帯端末１００は、近距離に位置する車載機２００を定期的に探索する。具体的には、近距離無線通信制御部１０８は近距離無線通信モジュール１０６を制御することにより、問い合わせ(Inquiry)パケットを送信する（ステップＳ３０２）。
【００５６】
この問い合わせパケットを受信した車載機２００は、問い合わせの応答(Inquiry  Response)パケットとして、ＦＨＳ(Frequency  Hop  Synchronization)パケットを携帯端末１００に送信する（ステップＳ３０４）。具体的には、近距離無線通信制御部２０８は、携帯端末１００から送信された問い合わせパケットを受信すると、該問い合わせパケットに対する応答として、近距離無線通信モジュール２０６を制御することにより、問い合わせの応答パケットを送信する。
【００５７】
携帯端末１００は、車載機２００により送信されたＦＨＳパケットのブルートゥースアドレス(識別情報)を取得する。例えば、近距離無線通信制御部１０８は、ブルートゥースアドレスに含まれるＵＡＰ（Upper  Address  Part）及びＮＡＰ（Non-significant  Address  Part）を取得する。
【００５８】
携帯端末１００は、車載機２００とピコネット内同期を図るため呼び出し(Page)であるＩＤパケットを車載機２００へ送信する（ステップＳ３０６）。具体的には、近距離無線通信制御部１０８は、近距離無線通信モジュール１０６を制御することにより、ＩＤパケットを送信する。
【００５９】
呼び出しであるＩＤパケットを受信した車載機２００は、呼び出し応答（Page  Response）としてＩＤパケットを送信する（ステップＳ３０８）。具体的には、近距離無線通信制御部２０８は、近距離無線通信モジュール２０６を制御することにより、ＩＤパケットを送信する。
【００６０】
この呼び出し応答を受信した携帯端末１００は、車載機２００を識別するアドレスを割り当てる。そして、例えば、識別情報から、車載機２００が通信可能な変調度、又は帯域幅のホッピングパターンを作成する。また、携帯端末１００は、車載機２００を識別するアドレスをペイロードに含む通信データをＦＨＳパケットとして、車載機２００へ送信する（ステップＳ３１０）。具体的には、近距離無線通信制御部１０８は、車載機２００に該車載機２００を識別するアドレスを割り当て、該車載機２００を識別するアドレスをペイロードに含む通信データをＦＨＳパケットとして、近距離無線通信モジュール１０６を制御することにより送信する。
【００６１】
このＦＨＳパケットを受信した車載機２００は、携帯端末１００と同様に、ＦＨＳパケットのブルートゥースアドレスを取得する。具体的には、近距離無線通信制御部２０８は、ＵＡＰおよびＮＡＰを取得する。
【００６２】
ＦＨＳパケットの応答を受信した携帯端末１００は、通信接続フェーズへ移行する。
【００６３】
携帯端末１００は、接続要求を車載機２００に送信する（ステップＳ３１２）。具体的には、近距離無線通信制御部１０８は、近距離無線通信モジュールを制御することにより、上位層プロトコルへの接続を要求するための制御コマンドを車載機２００へ送信する。例えば、制御コマンドにはLMP  host  connection  reqが含まれる。
【００６４】
車載機２００は、携帯端末１００により送信された制御コマンドに基づいて、車載機２００が上位層プロトコルで接続可能である場合には、制御内容の受け入れを肯定する制御コマンドを含む接続応答を携帯端末１００へ送信する（ステップＳ３１４）。例えば、制御コマンドにはLMP  acceptedが含まれる。
【００６５】
以上の処理が行われることにより、携帯端末１００と車載機２００との通信が可能になる。
【００６６】
次に、本実施例に係る車載システムの動作について説明する。本実施例では、車載機２００により生成及び／又は取得されたデータがセンター装置３００にアップロードされる場合、及びセンター装置３００により生成及び／又は取得されたデータが車載機２００にダウンロードされる場合について説明する。また、ここでは、図３を参照して説明したシーケンスに従って、携帯端末１００と車載機２００とが近距離無線通信技術により接続されている、言い換えれば通信可能である場合について説明する。
【００６７】
車載機２００により生成及び／又は取得されたデータがセンター装置３００にアップロードされる場合について、図４を参照して説明する。
【００６８】
車載機２００は、所定のタイミングでアップロードを開始する。例えば、所定のタイミングには、提供するサービスの内容に応じたタイミング、ユーザが該車載機２００を操作したタイミングが含まれる。
【００６９】
アプリケーション制御部２０４は、サービスデータ２０２から該当データを取得する（ステップＳ４０２）。そして、アプリケーション制御部２０４は、近距離無線通信制御部２０８に、取得したデータのアップロードを要求する（ステップＳ４０４）。
【００７０】
近距離無線通信制御部２０８は、近距離無線通信モジュール２０６を制御することにより、該データを近距離無線通信技術により、携帯端末１００に送信する（ステップＳ４０６）。
【００７１】
車載機２００により送信されたデータは、近距離無線通信モジュール１０６を介して、近距離無線通信制御部１０８に受信される（ステップＳ４０８）。近距離無線通信制御部１０８により受信されたデータは、アプリケーション制御部１０４に入力される（ステップＳ４１０）。アプリケーション制御部１０４は、入力されたデータをサービスデータ１０２に格納する（ステップＳ４１２）。
【００７２】
このように、車載機２００から取得したデータを携帯端末１００に格納することにより、車載機２００から携帯端末１００へのデータ伝送と、携帯端末１００からセンター装置２００へのデータ伝送とを異なるタイミングで行うことができる。言い換えれば、車載機２００と携帯端末１００との接続と、携帯端末１００とセンター装置２００との接続とを同時に行う必要がない。
【００７３】
携帯端末１００は、所定のタイミングでアップロードを開始する。例えば、所定のタイミングには、提供するサービスの内容に応じたタイミング、ユーザが該携帯端末１００を操作したタイミングが含まれる。
【００７４】
アプリケーション制御部１０４は、サービスデータ１０２から該当データを取得する（ステップＳ４１４）。そして、アプリケーション制御部１０４は、無線通信制御部１１２に、取得したデータのアップロードを要求する（ステップＳ４１６）。
【００７５】
無線通信制御部１１２は、無線通信モジュール１１０を制御することにより、認証情報をセンター装置３００に送信する（ステップＳ４１８）。認証情報には、例えば、携帯端末のＩＤ及びパスワードが含まれる。
【００７６】
携帯端末１００により送信された認証情報は、該携帯端末１００が在圏する基地局装置４００を介して、センター装置３００に送信される。該認証情報は、通信モジュール３０６を介して、通信制御部３０８に受信される。そして、通信制御部３０８は、受信した認証情報に基づいて、携帯端末１００の認証処理を行う（ステップＳ４２０）。認証の結果、接続を許可する場合には、センター装置３００は、携帯端末１００に接続許可応答を行う（ステップＳ４２２）。
【００７７】
センター装置３００により送信された接続許可応答は、無線通信モジュール１１０を介して、無線通信制御部１１２に受信される（ステップＳ４２４）。
【００７８】
無線通信制御部１１２は、無線通信モジュール１１０を制御することにより、アプリケーション制御部１０４により取得されたデータを無線通信技術により、センター装置３００に送信する（ステップＳ４２６）。
【００７９】
携帯端末１００により送信されたデータは、基地局装置４００及び通信網５００を介して通信モジュール３０６に入力され、通信制御部３０８に受信される（ステップＳ４２８）。通信制御部３０８により受信されたデータは、アプリケーション制御部３０４に入力される（ステップＳ４３０）。アプリケーション制御部３０４は、入力されたデータをサービスデータ３０２に格納する（ステップＳ４３２）。
【００８０】
センター装置３００により生成されたデータが車載機２００にダウンロードされる場合について、図５を参照して説明する。また、ここでは、図３を参照して説明したシーケンスに従って、携帯端末１００と車載機２００とが近距離無線通信技術により接続されている場合について説明する。また、携帯端末１００とセンター装置３００との無線通信技術による接続も行われている場合について説明する。
【００８１】
センター装置３００は、所定のタイミングでダウンロードを開始する。例えば、所定のタイミングには、提供するサービスの内容に応じたタイミングが含まれる。また、ユーザが携帯端末１００を操作することにより、センター装置３００に対してダウンロードを要求したタイミングが含まれるようにしてもよい。
【００８２】
アプリケーション制御部３０４は、サービスデータ３０２から該当データを取得する（ステップＳ５０２）。そして、アプリケーション制御部３０４は、通信制御部３０８に、取得したデータのダウンロードを要求する（ステップＳ５０４）。
【００８３】
通信制御部３０８は、通信モジュール３０６を制御することにより、該データを無線通信技術により、携帯端末１００に送信する（ステップＳ５０６）。
【００８４】
センター装置３００により送信されたデータは、無線通信モジュール１１０を介して、無線通信制御部１１２に受信される（ステップＳ５０８）。無線通信制御部１１２により受信されたデータは、アプリケーション制御部１０４に入力される（ステップＳ５１０）。アプリケーション制御部１０４は、入力されたデータをサービスデータ１０２に格納する（ステップＳ５１２）。
【００８５】
携帯端末１００は、所定のタイミングでダウンロードを開始する。例えば、所定のタイミングには、提供するサービスの内容に応じたタイミング、ユーザが車載機２００を操作したタイミングが含まれる。
【００８６】
アプリケーション制御部１０４は、サービスデータ１０２から該当データを取得する（ステップＳ５１４）。そして、アプリケーション制御部１０４は、近距離無線通信制御部１０８に、取得したデータのダウンロードを要求する（ステップＳ５１６）。
【００８７】
近距離無線通信制御部１０８は、近距離無線通信モジュール１０６を制御することにより、該データを近距離無線通信技術により、車載機２００に送信する（ステップＳ５１８）。
【００８８】
携帯端末１００により送信されたデータは、近距離無線通信モジュール２０６を介して近距離無線通信制御部２０８に入力され、近距離無線通信制御部２０８で受信される（ステップＳ５２０）。近距離無線通信制御部２０８により受信されたデータは、アプリケーション制御部２０４に入力される（ステップＳ５２２）。アプリケーション制御部２０４は、入力されたデータをサービスデータ２０２に格納する（ステップＳ５２４）。
【００８９】
本発明の実施例によれば、携帯端末のアプリケーションにより車載機に接続することができる。言い換えれば、携帯端末がマスターとして機能し、車載機に対して接続処理を行う。また、携帯端末は、センター装置へ接続する。このため、車載機とセンター装置との間を、携帯端末を介して通信を行う場合に、携帯端末とセンター装置との間の通信に利用できる定額制のサービスを利用できる。言い換えれば、車載機とセンター装置との間で、データ通信を行うサービスにおいて、定額制通信料金である携帯アプリケーション機能を使用できる。このため、ユーザの通信料金の負担を軽減できる。
【００９０】
（第２の実施例）
本発明の他の実施例に係る車載システムについて、図６を参照して説明する。
【００９１】
本実施例に係る携帯端末１００、車載機２００及びセンター装置３００の構成は、上述した実施例と同様である。
【００９２】
上述した実施例では、車載機とセンター装置との間で通信を行うことができるか否かは、ユーザが携帯端末を所有しているか否かに依存する。そこで、本実施例に係る車載システムは、上述した実施例に係る車載システムを店舗に適用したものである。例えば、店舗にはディーラが含まれる。本実施例に係る車載システムでは、携帯端末１００はディーラに備えられる。このようにすることにより、携帯端末を所有していないユーザでも、店舗に行くことにより、該車両に搭載された車載機とセンター装置との間での通信が可能となる。
【００９３】
ユーザは、車両でディーラなどの店舗に向かい、データ通信を店員に依頼する。
【００９４】
店員は、店舗に所有されている携帯端末１００を利用して、図４を参照して説明したステップＳ４０２からステップＳ４１２により示される処理により、車載機２００のサービスデータ２０２に格納されたデータを取得する。
【００９５】
従来は、車載機からデータを取得する場合には、通信設備を設置し、有線により、例えばケーブルを車載機に接続することによりデータの取得が行われていた。本実施例によれば、携帯端末を利用し、近距離無線通信技術によりデータを取得できることにより、上述したような作業を軽減できる。
【００９６】
次に、図４を参照して説明したステップＳ４１４からステップＳ４３２により示される処理により、携帯端末１００により取得されたデータは、無線通信技術により基地局装置４００を介してセンター装置３００に送信される。センター装置３００は、受信したデータをサービスデータ３０２に蓄積する。このようにすることにより、センター装置３００側で、携帯端末１００により取得されたデータにより、アクセスしてきたユーザを把握することができる。
【００９７】
また、携帯端末１００とセンター装置３００との認証処理は、前記店舗に対応する識別子により行うようにしてもよい。このようにすることにより、センター装置３００側で、店舗毎にアクセスしてきたユーザ数を把握することができる。そして、センター装置３００側では、店舗の利用状況に応じて、インセンティブを与えることができる。このため、店舗側及びセンター装置側の双方にメリットが生じる。
【００９８】
センター装置３００は、該車両に関して提供されている提供情報を、図５を参照して説明したステップＳ５０２からステップＳ５１２により示される処理により、携帯端末１００に送信する。携帯端末１００は、受信したデータをサービスデータ１０２に蓄積する。そして、図５を参照して説明したステップＳ５１４からステップＳ５２４により示される処理により、携帯端末１００により蓄積されたデータは、近距離無線通信技術により車載機２００に送信される。車載機２００は、受信したデータをサービスデータ２０２に蓄積する。また、車載機２００は、蓄積したデータに基づいて画面表示を変更するようにしてもよい。
【００９９】
本実施例によれば、ユーザは、車両に関して提供されている最新の情報を取得することができる。また、ディーラなどの店舗は、ユーザが該店舗を利用する頻度に応じてインセンティブを得る。このようにすることにより、店舗側が集客率を向上させる努力を行うことで、該店舗への集客率が上がる。また、携帯端末を設置する店舗、また、このサービスに対して協賛する事業者の増加が見込める。ユーザは、ディーラを利用することにより、最新の情報を得ることができるなどのプラスアルファのサービスを受けることができる。また、ディーラなどの店舗の店員は、ユーザの来店が増加することにより、営業の機会を増加させることができる。
【０１００】
本実施例では、店舗の一例としてディーラについて説明したが、携帯端末を設置できる店舗であればディーラに限られない。ディーラ以外の店舗に備えるようにすることにより、ユーザが、わざわざディーラに足を運ぶ必要はなく、最新の提供情報を取得できる。ディーラ以外の店舗には、例えば、ガソリンスタンド、ドライブスルーを有する店舗が含まれる。
【０１０１】
上述した実施例では、車載機と携帯端末との間の近距離無線通信方式の具体例として、ブルートゥース規格に準拠した無線通信が行われる場合について説明したが、他の近距離無線通信方式を適用するようにしてもよい。
【０１０２】
説明の便宜上、発明の理解を促すため具体的な数値例を用いて説明されるが、特に断りのない限り、それらの数値は単なる一例に過ぎず適切な如何なる値が使用されてよい。
【０１０３】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【０１０４】
【図１】本発明の一実施例にかかる車載システムを示す説明図である。
【図２】本発明の一実施例に係る車載システムを示す機能ブロック図である。
【図３】本発明の一実施例に係る携帯端末と車載機との接続処理を示すシーケンス図である。
【図４】本発明の一実施例に係る車載システムにおけるデータのアップロード処理を示すフロー図である。
【図５】本発明の一実施例に係る車載システムにおけるデータのダウンロード処理を示すフロー図である。
【図６】本発明の一実施例にかかる車載システムの適用例を示す説明図である。
【符号の説明】
【０１０５】
１００  携帯端末
１０２  サービスデータ
１０４  アプリケーション制御部
１０６  近距離無線通信モジュール
１０８  近距離無線通信制御部
１１０  無線通信モジュール
１１２  無線通信制御部
２００  車載機
２０２  サービスデータ
２０４  アプリケーション制御部
２０６  近距離無線通信モジュール
２０８  近距離無線通信制御部
３００  センター装置
３０２  サービスデータ
３０４  アプリケーション制御部
３０６  通信モジュール
３０８  通信制御部
【図１】
0005120059.tif 000002
【図２】
0005120059.tif 000003
【図３】
0005120059.tif 000004
【図４】
0005120059.tif 000005
【図５】
0005120059.tif 000006
【図６】
0005120059.tif 000007